(57)【要約】【課題】機器が停止すると、停止した当該機器は電圧変動に伴うものか、或いは機器そのものの故障などの異常によるものかなど、何の原因によって機器が停止したのかその判別がつかない場合が多く、復旧に時間がかかっている。【解決手段】被判別機器への電圧、電流を検出し、検出電圧Ｖが設定値Ｖｘ以下となったときに低下以前の記憶電流値Ｉ１を確認し、確認された電流値が設定された電流値Ｉｘ以上の時に現在電流値Ｉ２と比較し、Ｉ２＜Ｉｘ時に前記被判別機器の停止は瞬時電圧低下に伴うものと判定する。【選択図】  図１
2006262540.tif 000002
【特許請求の範囲】
【請求項１】
交流電源に接続された機器の停止が電圧変動に伴うものかを判別する
機器停止状況の把握方法において、
前記被判別機器への電圧、電流を検出し、検出電圧Ｖが設定値Ｖｘ以下となった
ときに低下以前の記憶電流値Ｉ１を確認し、確認された電流値が設定された電流値Ｉ
ｘ以上の時、定めた時間経過後、または電圧復帰後の現在電流値Ｉ２と比較し、Ｉ２
＜Ｉｘ時に前記被判別機器の停止は電圧変動に伴うものと判定することを特徴とし
た機器停止状況の把握方法。
【請求項２】
前記設定される電流値Ｉｘは、前記被判別機器が停止したと判断でき
る電流の最大値、または電流の最大値以上の値に設定されることを特徴とした請求
項1記載の機器停止状況の把握方法。
【請求項３】
請求項1又は請求項２の機器停止状況の把握方法において、電圧変動は
、瞬時電圧低下であることを特徴とした機器停止状況の把握方法。
【請求項４】
交流電源に接続された機器の停止が電圧変動に伴うものかを判別する
機器停止状況の把握装置において、
前記被判別機器への電圧、電流を検出するための電圧検出部及び電流検出部と、
電圧検出部によって検出された電圧値と予め設定された設定値とを比較し、電圧が
設定値より小のときに電圧変動とする電圧変動検出手段と、前記電流検出部によっ
て検出された電流を入力し、前記電圧変動検出時に既に記憶されている電圧変動前
の検出電流値と予め設定された電流値とを比較し、電圧変動前の検出電流値が大の
ことを確認する第１の動作確認手段と、この確認後に前記設定された電流値と検出
電流とを比較し、検出電流値が設定値より小のときに前記被判別機器の停止は電圧
変動に伴うものと判定する第２の動作確認手段とを備えたことを特徴とした機器停
止状況の把握装置。
【発明の詳細な説明】
【技術分野】
【０００１】
本発明は、機器停止状況の把握方法とその装置に係り、特に電圧低下などの電圧
変動に伴う機器の停止状態を把握するための方法と装置に関するものである。
【背景技術】
【０００２】
電力系統に瞬時電圧低下などの電圧変動が発生した場合、その電圧低下分を補償
して負荷に供給する補償装置については種々提案されている。また、電力の品質管
理運用のための支援装置についても、特許文献１のようなものが公知となっている
。この特許文献１のものは、電力需要家に対して必要な電力品質を算定するために
、負荷機器に繋がる系統の電流や電圧情報、負荷機器の稼動状態や異常時の停止の
有無情報などをデータベースに蓄積して受電設備の管理運用を支援するものである
。
【特許文献１】特開２００２−２４７７８０号公報
【発明の開示】
【発明が解決しようとする課題】
【０００３】
電力需要家には、瞬時電圧低下補償装置が設置されているものばかりではなく、
したがって、需要家内に設置されている電気機器は、瞬時電圧低下時などのように
電圧が所定値以下となったことによって停止することがある。特に、インバータな
どを含む電力変換装置のように、交流を一旦直流に変換して所望の電力を供給する
ための変換装置や、種々の制御回路、コンピュータ、及びＨＩＤランプなどにおい
ては電圧変動に伴う停止の確率が高い。
【０００４】
機器が停止すると、停止した当該機器は電圧変動に伴うものか、或いは機器その
ものの故障などの異常によるものか、何の原因によって機器が停止したのか、その
判別がつかない場合が多く、復旧に時間がかかって多大な生産損失が発生している
。また、特許文献１では、機器が停止することと電圧変動の把握が具体的には示さ
れておらず、原因の判別がつかないという課題を有している。
【０００５】
本発明が目的とするところは、瞬時電圧低下などの電圧変動に伴う機器停止の検
出方法とその装置を提供することにある。
【課題を解決するための手段】
【０００６】
本発明の第１は、交流電源に接続された機器の停止が電圧変動に伴うものかを判
別する機器停止状況の把握方法において、
前記被判別機器への電圧、電流を検出し、検出電圧Ｖが設定値Ｖｘ以下となった
ときに低下以前の記憶電流値Ｉ１を確認し、確認された電流値が設定された電流値Ｉ
ｘ以上の時、定めた時間経過後、または電圧復帰後の現在電流値Ｉ２と比較し、Ｉ２
＜Ｉｘ時に前記被判別機器の停止は電圧変動に伴うものと判定することを特徴とし
たものである。
【０００７】
本発明の第２は、前記設定される電流値Ｉｘは、前記被判別機器が停止したと判
断できる電流の最大値、または電流の最大値以上の値に設定されることを特徴とし
たものである。
【０００８】
本発明の第３は、前記電圧変動は、瞬時電圧低下であることを特徴としたもので
ある。
【０００９】
本発明の第４は、交流電源に接続された機器の停止が電圧変動に伴うものかを判
別する機器停止状況の把握装置において、
前記被判別機器への電圧、電流を検出するための電圧検出部及び電流検出部と、
電圧検出部によって検出された電圧値と予め設定された設定値とを比較し、電圧が
設定値より小のときに電圧変動とする電圧変動検出手段と、前記電流検出部によっ
て検出された電流を入力し、前記電圧変動検出時に既に記憶されている電圧変動前
の検出電流値と予め設定された電流値とを比較し、電圧変動前の検出電流値が大の
ことを確認する第１の動作確認手段と、この確認後に前記設定された電流値と検出
電流とを比較し、検出電流値が設定値より小のときに前記被判別機器の停止は電圧
変動に伴うものと判定する第２の動作確認手段とを備えたことを特徴としたもので
ある。
【発明の効果】
【００１０】
以上のとおり、本発明によれば、瞬時電圧低下などの電圧変動後にそれ以前の電
流の大きさを確認し、確認後に現在の電流値を確認することにより動作停止中の機
器は瞬時電圧低下などの電圧変動によるものか否かを判別するものである。このた
め、機器が停止した際に、瞬時電圧低下などの電圧変動によるものかの判別がつき
、復旧や対策が迅速に対処できるようになる。
【発明を実施するための最良の形態】
【００１１】
図１は本発明の実施例を示したものである。なお、本発明は電圧低下を伴う電圧
変動一般にも適用できるが、以下の説明では瞬時電圧低下を例として説明する。
１は交流電源、２はノーフューズブレーカー（ＮＦＢ）、３は被判別機器で、ここ
では整流器Ｄを有する機器で表現している。１１は電圧検出部で、計器用変圧器な
どよりなって交流電源電圧を検出する。１２は電流検出部で、変流器などよりなっ
て機器３への流入電流を検出する。１３は瞬時電圧低下による電圧変動を検出する
ための電圧変動検出手段（瞬時電圧低下検出手段）で、電圧検出部１１によって検
出された電圧Ｖと予め設定された電圧値Ｖｘとを比較し、検出電圧Ｖがこの設定電
圧値Ｖｘ以下となったとき瞬時電圧低下とする。１４は電流記憶部で数サンプリン
グ分の電流値を記憶する。  
【００１２】
１５は瞬時電圧低下以前の第１の動作確認手段で、この確認手段は電流記憶部１
４に記憶された瞬時電圧低下発生時よりも前の時刻における電流値Ｉ１と、予め設定
された電流設定値Ｉｘとを比較し、Ｉ１が設定値Ｉｘより大きいことを判断して瞬時
電圧低下の発生以前の機器状態を確認する。１６は瞬時電圧低下以後の第２の動作
確認手段で、瞬時電圧低下以後の電流値Ｉ２と設定値Ｉｘとを比較し、設定値Ｉｘが
大のときに動作停止中の機器３は瞬時電圧低下に伴う停止として判別する。そして
、これら１１〜１６により電圧低下判別装置１０が構成されて判別したい機器の入
力側に配設される。
【００１３】
図２は説明のための電圧・電流の波形図を示し、実効値で表している。瞬時電圧
低下検出手段１３における電圧設定値Ｖｘは、交流電源側に設置される図示省略さ
れた変圧器の結線状態などによって変わってくるが、例えば通常電圧に対する低下
比率などを基準として任意に設定される。また、電流設定値Ｉｘも負荷（機器３の
）容量や種類、瞬時電圧低下時の状況によって変わってくるので、負荷３の停止と
判断できる最大値、または最大値以上となるよう設定される。
【００１４】
次に動作について説明する。機器３に印加される電圧Ｖと流入電流Ｉは、それぞ
れ電圧検出部１１及び電流検出部１２によって検出される。検出電圧Ｖは瞬時電圧
低下の検出手段１３に出力されて設定値Ｖｘと比較され、時刻ｔでＶ＜Ｖｘとなっ
たときに瞬時電圧低下の発生を第１の動作確認手段１５に知らせる。第１の動作確
認手段１５は瞬時電圧低下以前の動作状態を確認するためのもので、電流記憶部１
４で記憶された時刻ｔ以前の時刻ｔ1時点での電流値Ｉ１と設定値  Ｉｘとを比較す
る。比較結果、Ｉ１＞Ｉｘであったことは、前回までは負荷電流が流れて被判別機器
３が動作していた状態であったと確認し、確認信号を第２の動作確認手段１６に出
力する。この動作確認手段１６は瞬時電圧低下が回復後、あるいは定めた時間経過
後の時刻ｔ2で検出された電流Ｉ２と設定値Ｉｘとを比較し、Ｉ２＜Ｉｘである場合
には被判別機器３は瞬時電圧低下に伴うものと判断して表示灯を点灯させたり、他
の機器やシステムにその情報を伝達させたりして、発生の表示や記録を行う。
【００１５】
したがって、本発明によれば、機器が停止した際に、それが瞬時電圧低下などの
電圧変動によるものかの判別がつき、復旧や対策が迅速に対処できるようになる。
【図面の簡単な説明】
【００１６】
【図１】本発明の実施形態を示す構成図。
【図２】瞬時電圧低下時の電圧、電流波系図。
【符号の説明】
【００１７】
１…  交流電源
２…  ＮＦＢ
３…  負荷（被判別機器）
１０…  電圧低下判別装置
１１…  電圧検出部
１２…  電流検出部
１３…  電流記憶部
１４…  電圧変動検出手段
１５…  第１の動作確認手段
１６…  第２の動作確認手段
【図１】
2006262540.tif 000003
【図２】
2006262540.tif 000004